(57)【要約】【課題】  発電所毎に異なる付番体系を意識することなく、監視信号を処理・監視・評価することができるようにする。【解決手段】  本発明により、発電所に接続されて用いられる発電所用信号変換装置１が提供される。発電所用信号変換装置１は、発電所から該発電所の監視信号を受信する入力部２と、入力部２で受信した信号を変換する信号処理部３と、信号処理部３で変換された信号を外部に出力する出力部４と、を備えている。信号処理部３は、入力部２で受信した信号を、異なる付番体系に基づいて付番された信号に変換する。【選択図】  図１
2006304573.tif 000002
【特許請求の範囲】
【請求項１】
発電所に接続されて用いられる発電所用信号変換装置であって、
発電所から該発電所の監視信号を受信する入力部と、
入力部で受信された信号を、異なる付番体系に基づいて付番された信号に変換する信号処理部と、
信号処理部で変換された信号を外部に出力する出力部と、を備えたことを特徴とする発電所用信号変換装置。
【請求項２】
複数の発電所に接続されて用いられる発電所用信号変換装置であって、
複数の発電所から、各発電所固有の付番体系に基づいて付番された各発電所の監視信号を受信する入力部と、
入力部で受信された各発電所からの信号を、共通の付番体系に基づいて付番された信号に変換する信号処理部と、
信号処理部で変換された信号を外部に出力する出力部と、を備えたことを特徴とする発電所用信号変換装置。
【請求項３】
信号処理部で変換された信号を蓄積する記憶装置をさらに備えたことを特徴とする請求項１または２に記載の発電所用信号変換装置。
【発明の詳細な説明】
【技術分野】
【０００１】
本発明は、発電所から発電所固有の信号付番体系に従って付番された信号を受け、この信号を異なる信号付番体系に従って付番された信号に変換する発電所用信号変換装置に関する。
【背景技術】
【０００２】
発電所においては、発電所の各系統の動作情報や警報情報等に基づいて運転状況が制御される。この場合、発電所の各系統の動作情報や警報情報等の監視情報は、信号付番体系（コード体系）に基づいて付番された監視信号（コード）として表され、この信号が計算機に送信されて処理されることによって、発電所の運転監視や運転状況の評価が行われている。
【発明の開示】
【発明が解決しようとする課題】
【０００３】
ところで、発電所の各系統の動作情報や警報情報等を表す監視信号は、発電所固有の付番体系に基づいて付番されている。したがって、同じ処理・監視・評価を行う装置・プログラムであったとしても、付番体系を考慮して発電所毎に開発・作成する必要がある。また、発電所横並びの評価、言い換えると、発電所間での比較および評価を行う場合、付番体系が異なるため手間がかかる。
【０００４】
本発明はこのような点を考慮してなされたものであり、発電所毎に異なる付番体系を意識することなく、監視信号を処理・監視・評価することができるようにすることを目的とする。
【課題を解決するための手段】
【０００５】
今般、本発明者らは、各発電所固有の付番体系に従って付番された監視信号を、異なる付番体系に従って付番された信号に変換する信号変換装置を用いることによって上記目的を達成することができる、との知見を得た。本発明はこのような知見に基づいている。
【０００６】
本発明による発電所用信号変換装置は、発電所に接続されて用いられる発電所用信号変換装置であって、発電所から該発電所の監視信号を受信する入力部と、入力部で受信された信号を、異なる付番体系に基づいて付番された信号に変換する信号処理部と、信号処理部で変換された信号を外部に出力する出力部と、を備えたことを特徴とする。このような発電所用信号変換装置を用いることにより、発電所によって異なる信号の付番体系を意識することなく監視信号を取り扱うことができる。とりわけ、発電所毎に異なる付番体系を意識することなく、各発電所に適用する信号処理・監視・評価のための装置・プログラムを開発・作成することができる。
【０００７】
本発明による発電所用信号変換装置は、複数の発電所に接続されて用いられる発電所用信号変換装置であって、複数の発電所から、各発電所固有の付番体系に基づいて付番された各発電所の監視信号を受信する入力部と、入力部で受信された各発電所からの信号を、共通の付番体系に基づいて付番された信号に変換する信号処理部と、信号処理部で変換された信号を外部に出力する出力部と、を備えたことを特徴とする。このような発電所用信号変換装置を用いることにより、発電所によって異なる付番体系を意識することなく監視信号を取り扱うことができる。とりわけ、発電所毎に異なる付番体系を意識することなく、監視信号の発電所間での比較・評価を行うことができる。
【０００８】
上述した発電所用信号変換装置が、信号処理部で変換された信号を蓄積する記憶装置をさらに備えるようにしてもよい。このような本発明によれば、過去の各発電所の監視情報を共通の付番体系で表された信号として蓄積することができ、また、過去の各発電所の監視情報を共通の付番体系で表された信号として評価装置に送信することができる。
【発明の効果】
【０００９】
本発明による発電所用信号変換装置を用いることによって、発電所毎に異なる付番体系を意識することなく、信号を処理・監視・評価することができる。
【発明を実施するための最良の形態】
【００１０】
以下、図面を参照して本発明の実施の形態について説明する。
【００１１】
図１および図２は本発明による発電所用信号変換装置の一実施の形態を示す図である。
【００１２】
このうち図１は発電所用信号変換装置の構成図であり、図２は発電所用信号変換装置の信号処理部の構成を説明する図である。
【００１３】
図１に示すように、本実施の形態において、発電所用信号変換装置１は、複数の発電所（発電所Ａ１１乃至発電所Ｚ１３）に接続されて用いられる発電所用信号変換装置１であって、複数の発電所から、各発電所固有の付番体系に基づいて付番された各発電所の監視信号を受信する入力部２と、入力部２で受信された各発電所からの信号を、予め設定した共通の付番体系に基づいて付番された信号に変換する信号処理部３と、信号処理部３で変換された信号を外部に送信して出力する出力部４と、を備えている。
【００１４】
また、図１に示すように、出力部４は信号処理部３から受けた信号を、外部だけでなく、記憶装置５にも出力するようになっている。記憶装置５は、信号処理部３で変換された信号を蓄積するとともに、蓄積された信号を外部に送信して出力するようになっている。すなわち、出力部４から外部に信号が直接出力されるとともに、記憶装置５を介して間接的にも出力されるようになっている。
【００１５】
なお、ここで外部とは、発電所の各系統の動作情報や警報情報等に関する監視信号を受け、発電所の運転監視や運転状況の評価、さらには運転制御を行うプログラムを有した装置等である。本実施の形態においては、記憶装置５から評価装置Ａ２１に信号が送信され、出力部４から評価装置Ｂ２１に信号が送信されるようになっている。
【００１６】
図２に示すように、信号処理部３は、各発電所固有の付番体系（コード体系）に基づいて付番された監視信号（コード番号）を、所定の共通付番体系に基づいて付番された信号に変換するための信号変換データ１０１を有している。
【００１７】
このような構成からなる発電所用信号変換装置１においては、まず、入力部２が発電所Ａ１１乃至発電所Ｚ１３から監視信号を受けるとともに、受けた信号を信号処理部３へ送信する。信号処理部３は、送信されてきた信号がいずれの発電所に関する監視信号であるかに基づき信号変換データ１０１に従って、共通の信号付番体系で表された信号に変換する。変換された信号は出力部４に送信され、出力部４から記憶装置５あるいは外部の評価装置Ｂ２１へと出力される。
【００１８】
外部の評価装置Ｂ２１に送信される信号は所定の付番体系に基づいて表された信号であるため、いずれの付番体系に基づいた信号であるのかを外部の評価装置Ｂ２１において判別する手間が省略され得る。また、発電所用信号変換装置１を介することによって、各発電所固有の付番体系で表されていた監視信号が、すべて所定の付番体系で表されるようになるので、外部の評価装置Ｂ２１において発電所間での運転状況等の比較・評価を容易に行うことができる。
【００１９】
また、記憶装置５に蓄積（記憶）されている監視信号は、同様に、所定の付番体系に基づいて表されている。したがって、記憶装置５に蓄積された監視信号を記憶装置５から外部の評価装置Ａ２１に送信した場合、外部の評価装置Ａ２１において過去の監視信号についても、いずれの付番体系に基づいた信号であるのかを判別することなく処理・監視・評価することができる。
【図面の簡単な説明】
【００２０】
【図１】本発明による発電所用信号変換装置の一実施の形態の構成図である。
【図２】発電所用信号変換装置の信号処理部の構成を説明する図である。
【符号の説明】
【００２１】
１  発電所用信号変換装置
２  入力部
３  信号処理部
４  出力部
５  記憶装置
１１  発電所Ａ
１２  発電所Ｂ
１３  発電所Ｃ
２１  評価装置Ａ
２２  評価装置Ｂ
１０１  信号変換データ
【図１】
2006304573.tif 000003
【図２】
2006304573.tif 000004